(57)【要約】【課題】低コストで、しかも、確実な警備を行うことができる警備支援システム等の提供を目的とする。【解決手段】  カメラ装置２と、配達エリアデータベース１１ａを有するサーバコンピュータ１とを備えている。カメラ装置２は、新聞配達者が新聞を配達先に配達する際に配達先を含む配達エリアを撮影し配達エリアの配達時の配達時画像情報を生成し、配達エリアを特定する配達エリア特定情報と共にサーバコンピュータ１に送信する。サーバコンピュータ１は、受信した配達エリア特定情報と配達エリアデータベース１１ａとに基いて配達時画像情報に対応する配達エリアの基準画像情報を配達エリアデータベース１１ａから抽出するとともに、その抽出した基準画像情報と受信した配達時画像情報とが相違するか否かを検出することにより、配達エリアにおける異常の有無を監視する。【選択図】図１
2005228238.tif 000002
【特許請求の範囲】
【請求項１】
配達者が配達物を配達先に定期的に配達する定期配達に際して配達先を含む配達エリアを撮影するカメラ装置と、カメラ装置と通信可能に接続されるサーバコンピュータとを備えた警備支援システムであって、
カメラ装置は、配達者が配達物を配達する配達時における配達先を含む配達エリアの一部又は全部を撮影することにより配達エリアの配達時の撮影画像に関する配達時画像情報を生成し、その生成した配達時画像情報を、配達エリアを特定する配達エリア特定情報と共にサーバコンピュータに送信し、
サーバコンピュータは、受信した配達時画像情報と配達エリア特定情報とに基いて配達エリアにおける異常の有無を監視することを特徴とする警備支援システム。
【請求項２】
請求項１記載の警備支援システムにおいて、
上記サーバコンピュータは、配達先を含む配達エリアの一部又は全部を予め撮影し配達エリアの撮影画像の基準として用いる基準画像情報を、配達エリア特定情報と関連付けて記録した配達エリアデータベースを備え、受信した配達エリア特定情報と配達エリアデータベースとに基いて配達時画像情報に対応する配達エリアの基準画像情報を配達エリアデータベースから抽出するとともに、その抽出した基準画像情報と受信した配達時画像情報とが相違するか否かを検出することにより、配達エリアにおける異常の有無を監視するもの。
【請求項３】
警備の支援を行う警備支援装置であって、
配達者が配達物を定期的に配達先に配達する定期配達における配達先を含む配達エリアの一部又は全部を予め撮影し配達エリアの撮影画像の基準として用いる基準画像情報を、配達エリアを特定する配達エリア特定情報と関連付けて記録した配達エリアデータベースを備え、
配達者が配達物を配達する配達時の配達エリアの一部又は全部を撮影することによってカメラ装置の生成した配達時画像情報を、配達エリア特定情報と共にそのカメラ装置から受信し、受信した配達エリア特定情報と配達エリアデータベースとに基いて配達時画像情報に対応する配達エリアの基準画像情報を配達エリアデータベースから抽出するとともに、その抽出した基準画像情報と受信した配達時画像情報とが相違するか否かを検出することにより、配達エリアにおける異常の有無を監視することを特徴とする警備支援装置。
【請求項４】
配達者が配達物を定期的に配達先に配達する定期配達における配達先を含む配達エリアの一部又は全部を予め撮影し配達エリアの撮影画像の基準として用いる基準画像情報を、配達エリアを特定する配達エリア特定情報と関連付けて記録した配達エリアデータベースを備えたコンピュータを、警備の支援を行う警備支援装置として機能させるプログラムであって、
コンピュータに、配達者が配達物を配達する配達時の配達エリアの一部又は全部を撮影することによってカメラ装置の生成した配達時画像情報を、配達エリア特定情報と共にそのカメラ装置から受信し、受信した配達エリア特定情報と配達エリアデータベースとに基いて配達時画像情報に対応する配達エリアの基準画像情報を配達エリアデータベースから抽出するとともに、その抽出した基準画像情報と受信した配達時画像情報とが相違するか否かを検出することにより、配達エリアにおける異常の有無を監視する処理を行わせることを特徴とするプログラム。
【請求項５】
配達者が配達物を定期的に配達先に配達する定期配達における配達先を含む配達エリアの一部又は全部を予め撮影し配達エリアの撮影画像の基準として用いる基準画像情報を、配達エリアを特定する配達エリア特定情報と関連付けて記録した配達エリアデータベースを備えたコンピュータを、警備の支援を行う警備支援装置として機能させるプログラムを記録した記録媒体であって、
コンピュータに、配達者が配達物を配達する配達時の配達エリアの一部又は全部を撮影することによってカメラ装置の生成した配達時画像情報を、配達エリア特定情報と共にそのカメラ装置から受信し、受信した配達エリア特定情報と配達エリアデータベースとに基いて配達時画像情報に対応する配達エリアの基準画像情報を配達エリアデータベースから抽出するとともに、その抽出した基準画像情報と受信した配達時画像情報とが相違するか否かを検出することにより、配達エリアにおける異常の有無を監視する処理を行わせることを特徴とするプログラムを記録した記録媒体。
【請求項６】
請求項２〜５の何れかに記載の警備支援システム、警備支援装置、プログラム、又は、プログラムを記録した記録媒体において、
上記警備支援装置は、配達時画像情報と基準画像情報とが相違することを検出した場合に、相違している旨を、予め配達エリアの警備を担当するように定めた担当警備員に、警備支援装置と通信可能な端末装置であって当該担当警備員の用いるものを介して知らせるもの。
【請求項７】
請求項２〜６の何れかに記載の警備支援システム、警備支援装置、プログラム、又は、プログラムを記録した記録媒体において、
上記カメラ装置は、予め配達者毎に定めた複数の配達エリアを、各配達エリア毎に撮影する複数のものから構成され、
上記警備支援装置は、一のカメラ装置から受信した一の配達エリアの配達時画像情報と基準画像情報とが相違することを検出した場合に、その検出した相違部分の画像情報を不審物画像情報として認識し、他のカメラ装置から受信した配達時画像情報にその不審物画像情報に対応する情報が含まれているか否かを検出するもの。
【請求項８】
請求項７記載の警備支援システム、警備支援装置、プログラム、又は、プログラムを記録した記録媒体において、
上記警備支援装置は、不審物画像情報を、その不審物画像情報を検出した配達エリアの配達エリア特定情報と関連付けて記録した不審物情報データベースを備え、
上記不審物画像情報を検出した場合に、その不審物画像情報に対応する情報が、不審物情報データベースに他の配達エリア特定情報と関連付けて記録されているか否かを検出し、記録されていることを検出した場合に、不審物情報データベースから当該他の配達エリア特定情報を抽出するもの。
【請求項９】
請求項１記載の警備支援システムにおいて、
上記カメラ装置は、予め配達者毎に定めた複数の配達エリアを、各配達エリア毎に撮影する複数のものから構成され、各カメラ装置は、配達時画像情報と、その配達時画像情報における不審物を指摘する不審物指摘情報とを関連付けてサーバコンピュータに送信し、
上記サーバコンピュータは、一のカメラ装置から受信した一の配達エリアの配達時画像情報と不審物指摘情報とに基いて検出した画像情報を不審物画像情報として認識し、その不審物画像情報に基いて他のカメラ装置から受信した他の配達エリアの配達時画像情報にその不審物画像情報に対応する情報が含まれているか否かを検出するもの。
【請求項１０】
警備の支援を行う警備支援装置であって、
予め配達者毎に定めた複数の配達エリアを各配達エリア毎に撮影する複数のカメラ装置における一のカメラ装置から受信した一の配達エリアの配達時画像情報とその配達時画像情報における不審物を指摘する不審物指摘情報とに基いて検出した画像情報を不審物画像情報として認識し、その不審物画像情報に基いて他のカメラ装置から受信した他の配達エリアの配達時画像情報にその不審物画像情報に対応する情報が含まれているか否かを検出することを特徴とする警備支援装置。
【請求項１１】
コンピュータを、警備の支援を行う警備支援装置として機能させるプログラムであって、
コンピュータに、予め配達者毎に定めた複数の配達エリアを各配達エリア毎に撮影する複数のカメラ装置における一のカメラ装置から受信した一の配達エリアの配達時画像情報とその配達時画像情報における不審物を指摘する不審物指摘情報とに基いて検出した画像情報を不審物画像情報として認識させ、その不審物画像情報に基いて他のカメラ装置から受信した他の配達エリアの配達時画像情報にその不審物画像情報に対応する情報が含まれているか否かを検出する処理を行わせることを特徴とするプログラム。
【請求項１２】
コンピュータを、警備の支援を行う警備支援装置として機能させるプログラムを記録した記録媒体であって、
コンピュータに、予め配達者毎に定めた複数の配達エリアを各配達エリア毎に撮影する複数のカメラ装置における一のカメラ装置から受信した一の配達エリアの配達時画像情報とその配達時画像情報における不審物を指摘する不審物指摘情報とに基いて検出した画像情報を不審物画像情報として認識させ、その不審物画像情報に基いて他のカメラ装置から受信した他の配達エリアの配達時画像情報にその不審物画像情報に対応する情報が含まれているか否かを検出する処理を行わせることを特徴とするプログラムを記録した記録媒体。
【請求項１３】
請求項９〜１２の何れかに記載の警備支援システム、警備支援装置、プログラム、又は、プログラムを記録した記録媒体において、
上記警備支援装置は、不審物画像情報を、その不審物画像情報を検出した配達エリアの配達エリア特定情報と関連付けて記録した不審物情報データベースを備え、
上記一の配達エリアの配達時画像情報から検出した不審物画像情報が、不審物情報データベースに他の配達エリアと関連付けて記録されているか否かを検出し、記録されていることを検出した場合に、不審物情報データベースから当該他の配達エリアを抽出するもの。
【請求項１４】
請求項１〜１３の何れかに記載の警備支援システム、警備支援装置、プログラム、又は、プログラムを記録した記録媒体において、
上記定期配達は、新聞配達者が新聞を配達先に定期的に配達する新聞配達からなるもの。
【請求項１５】
コンピュータを用いて警備の支援を行う警備支援方法であって、
配達者が配達物を定期的に配達先に配達する定期配達における配達先を含む配達エリアの一部又は全部を予め撮影し配達エリアの撮影画像の基準として用いる基準画像情報を、配達エリア特定情報と関連付けて記録した配達エリアデータベースを備えたコンピュータを準備し、
コンピュータに、配達者が配達物を配達する配達時の配達エリアの一部又は全部を撮影することによってカメラ装置の生成した配達時画像情報を、配達エリアを特定する配達エリア特定情報と共にそのカメラ装置から受信し、受信した配達エリア特定情報と配達エリアデータベースとに基いて配達時画像情報に対応する配達エリアの基準画像情報を配達エリアデータベースから抽出するとともに、その抽出した基準画像情報と受信した配達時画像情報とが相違するか否かを検出することにより、配達エリアにおける異常の有無を監視する処理を行わせることを特徴とする警備支援方法。
【発明の詳細な説明】
【技術分野】
【０００１】
本発明は、防火或いは防犯等の警備の支援を行う警備支援システム等に関する。
【背景技術】
【０００２】
今日では、警備会社により建物を警備するシステムが広く利用されている。このシステムは、例えばドア或いは窓が勝手に開けられるような異常事態が発生すると、センサーが検知し、そのセンサーの検知によって異常事態が発生したことを警備会社にわかるようにしておく。そして、異常事態が発生したことを知った警備会社は、警備担当者をセンサーが作動した建物に即座に向かわせるようにしたものである。
【０００３】
しかしながら、センサーが検知してから警備担当者が該当する建物に到着するまでに相当の時間を要する場合も多く、その結果、警備担当者が建物に到着した際には、既に、ドア或いは窓を勝手に開けて侵入した侵入者が内部の物品を盗み出して逃げた後であるという場合も起こり得る。
【０００４】
また、警備会社の警備担当者が契約した建物を定期的に巡回警備することも行なわれている。こうすることにより、不審な者や不審な車等の不審物を早期に発見することができ、盗難の未然防止を図ることができる等、より確実な警備を行うことができる。
【０００５】
ところが、警備担当者が定期的に巡回警備するには、多くの警備担当者が必要になる。そのため、警備担当者の人件費が高くなり、警備がコスト高になってしまう。
【発明の開示】
【発明が解決しようとする課題】
【０００６】
本願発明は、以上のような実情に鑑みて提案されたもので、低コストで、しかも、確実な警備を行うことができる警備支援システム等の提供を目的とする。
【課題を解決するための手段】
【０００７】
本願の請求項１記載の発明は、配達者が配達物を配達先に定期的に配達する定期配達に際して配達先を含む配達エリアを撮影するカメラ装置と、カメラ装置と通信可能に接続されるサーバコンピュータとを備えた警備支援システムであって、カメラ装置は、配達者が配達物を配達する配達時における配達先を含む配達エリアの一部又は全部を撮影することにより配達エリアの配達時の撮影画像に関する配達時画像情報を生成し、その生成した配達時画像情報を、配達エリアを特定する配達エリア特定情報と共にサーバコンピュータに送信し、サーバコンピュータは、受信した配達時画像情報と配達エリア特定情報とに基いて配達エリアにおける異常の有無を監視することを特徴とする警備支援システムである。
【０００８】
本願の請求項２記載の発明は、請求項１記載の発明に係るサーバコンピュータが、配達先を含む配達エリアの一部又は全部を予め撮影し配達エリアの撮影画像の基準として用いる基準画像情報を、配達エリア特定情報と関連付けて記録した配達エリアデータベースを備え、受信した配達エリア特定情報と配達エリアデータベースとに基いて配達時画像情報に対応する配達エリアの基準画像情報を配達エリアデータベースから抽出するとともに、その抽出した基準画像情報と受信した配達時画像情報とが相違するか否かを検出することにより、配達エリアにおける異常の有無を監視することを特徴とする警備支援システムである。
【０００９】
本願の請求項３記載の発明は、警備の支援を行う警備支援装置であって、配達者が配達物を定期的に配達先に配達する定期配達における配達先を含む配達エリアの一部又は全部を予め撮影し配達エリアの撮影画像の基準として用いる基準画像情報を、配達エリアを特定する配達エリア特定情報と関連付けて記録した配達エリアデータベースを備え、配達者が配達物を配達する配達時の配達エリアの一部又は全部を撮影することによってカメラ装置の生成した配達時画像情報を、配達エリア特定情報と共にそのカメラ装置から受信し、受信した配達エリア特定情報と配達エリアデータベースとに基いて配達時画像情報に対応する配達エリアの基準画像情報を配達エリアデータベースから抽出するとともに、その抽出した基準画像情報と受信した配達時画像情報とが相違するか否かを検出することにより、配達エリアにおける異常の有無を監視することを特徴とする警備支援装置である。
【００１０】
本願の請求項４記載の発明は、配達者が配達物を定期的に配達先に配達する定期配達における配達先を含む配達エリアの一部又は全部を予め撮影し配達エリアの撮影画像の基準として用いる基準画像情報を、配達エリアを特定する配達エリア特定情報と関連付けて記録した配達エリアデータベースを備えたコンピュータを、警備の支援を行う警備支援装置として機能させるプログラムであって、コンピュータに、配達者が配達物を配達する配達時の配達エリアの一部又は全部を撮影することによってカメラ装置の生成した配達時画像情報を、配達エリア特定情報と共にそのカメラ装置から受信し、受信した配達エリア特定情報と配達エリアデータベースとに基いて配達時画像情報に対応する配達エリアの基準画像情報を配達エリアデータベースから抽出するとともに、その抽出した基準画像情報と受信した配達時画像情報とが相違するか否かを検出することにより、配達エリアにおける異常の有無を監視する処理を行わせることを特徴とするプログラムである。
【００１１】
本願の請求項５記載の発明は、配達者が配達物を定期的に配達先に配達する定期配達における配達先を含む配達エリアの一部又は全部を予め撮影し配達エリアの撮影画像の基準として用いる基準画像情報を、配達エリアを特定する配達エリア特定情報と関連付けて記録した配達エリアデータベースを備えたコンピュータを、警備の支援を行う警備支援装置として機能させるプログラムを記録した記録媒体であって、コンピュータに、配達者が配達物を配達する配達時の配達エリアの一部又は全部を撮影することによってカメラ装置の生成した配達時画像情報を、配達エリア特定情報と共にそのカメラ装置から受信し、受信した配達エリア特定情報と配達エリアデータベースとに基いて配達時画像情報に対応する配達エリアの基準画像情報を配達エリアデータベースから抽出するとともに、その抽出した基準画像情報と受信した配達時画像情報とが相違するか否かを検出することにより、配達エリアにおける異常の有無を監視する処理を行わせることを特徴とするプログラムを記録した記録媒体である。
【００１２】
本願の請求項６記載の発明は、本願の請求項２〜５の何れかに記載の警備支援システム、警備支援装置、プログラム、又は、プログラムを記録した記録媒体に係る警備支援装置が、配達時画像情報と基準画像情報とが相違することを検出した場合に、相違している旨を、予め配達エリアの警備を担当するように定めた担当警備員に、警備支援装置と通信可能な端末装置であって当該担当警備員の用いるものを介して知らせるものである。
【００１３】
本願の請求項７記載の発明は、本願の請求項２〜６の何れかに記載の警備支援システム、警備支援装置、プログラム、又は、プログラムを記録した記録媒体に係るカメラ装置が、予め配達者毎に定めた複数の配達エリアを、各配達エリア毎に撮影する複数のものから構成され、警備支援装置は、一のカメラ装置から受信した一の配達エリアの配達時画像情報と基準画像情報とが相違することを検出した場合に、その検出した相違部分の画像情報を不審物画像情報として認識し、他のカメラ装置から受信した配達時画像情報にその不審物画像情報に対応する情報が含まれているか否かを検出するものである。
【００１４】
本願の請求項８記載の発明は、本願の請求項７記載の警備支援システム、警備支援装置、プログラム、又は、プログラムを記録した記録媒体に係る警備支援装置が、不審物画像情報を、その不審物画像情報を検出した配達エリアの配達エリア特定情報と関連付けて記録した不審物情報データベースを備え、不審物画像情報を検出した場合に、その不審物画像情報に対応する情報が、不審物情報データベースに他の配達エリア特定情報と関連付けて記録されているか否かを検出し、記録されていることを検出した場合に、不審物情報データベースから当該他の配達エリア特定情報を抽出するものである。
【００１５】
本願の請求項９記載の発明は、本願の請求項１記載の警備支援システムに係るカメラ装置が、予め配達者毎に定めた複数の配達エリアを、各配達エリア毎に撮影する複数のものから構成され、各カメラ装置は、配達時画像情報と、その配達時画像情報における不審物を指摘する不審物指摘情報とを関連付けてサーバコンピュータに送信し、サーバコンピュータは、一のカメラ装置から受信した一の配達エリアの配達時画像情報と不審物指摘情報とに基いて検出した画像情報を不審物画像情報として認識し、その不審物画像情報に基いて他のカメラ装置から受信した他の配達エリアの配達時画像情報にその不審物画像情報に対応する情報が含まれているか否かを検出するものである。
【００１６】
本願の請求項１０記載の発明は、警備の支援を行う警備支援装置であって、予め配達者毎に定めた複数の配達エリアを各配達エリア毎に撮影する複数のカメラ装置における一のカメラ装置から受信した一の配達エリアの配達時画像情報とその配達時画像情報における不審物を指摘する不審物指摘情報とに基いて検出した画像情報を不審物画像情報として認識し、その不審物画像情報に基いて他のカメラ装置から受信した他の配達エリアの配達時画像情報にその不審物画像情報に対応する情報が含まれているか否かを検出することを特徴とする警備支援装置である。
【００１７】
本願の請求項１１記載の発明は、コンピュータを、警備の支援を行う警備支援装置として機能させるプログラムであって、コンピュータに、予め配達者毎に定めた複数の配達エリアを各配達エリア毎に撮影する複数のカメラ装置における一のカメラ装置から受信した一の配達エリアの配達時画像情報とその配達時画像情報における不審物を指摘する不審物指摘情報とに基いて検出した画像情報を不審物画像情報として認識させ、その不審物画像情報に基いて他のカメラ装置から受信した他の配達エリアの配達時画像情報にその不審物画像情報に対応する情報が含まれているか否かを検出する処理を行わせることを特徴とするプログラムである。
【００１８】
本願の請求項１２記載の発明は、コンピュータを、警備の支援を行う警備支援装置として機能させるプログラムを記録した記録媒体であって、コンピュータに、予め配達者毎に定めた複数の配達エリアを各配達エリア毎に撮影する複数のカメラ装置における一のカメラ装置から受信した一の配達エリアの配達時画像情報とその配達時画像情報における不審物を指摘する不審物指摘情報とに基いて検出した画像情報を不審物画像情報として認識させ、その不審物画像情報に基いて他のカメラ装置から受信した他の配達エリアの配達時画像情報にその不審物画像情報に対応する情報が含まれているか否かを検出する処理を行わせることを特徴とするプログラムを記録した記録媒体である。
【００１９】
本願の請求項１３記載の発明は、本願の請求項９〜１２の何れかに記載の警備支援システム、警備支援装置、プログラム、又は、プログラムを記録した記録媒体に係る警備支援装置が、不審物画像情報を、その不審物画像情報を検出した配達エリアの配達エリア特定情報と関連付けて記録した不審物情報データベースを備え、一の配達エリアの配達時画像情報から検出した不審物画像情報が、不審物情報データベースに他の配達エリアと関連付けて記録されているか否かを検出し、記録されていることを検出した場合に、不審物情報データベースから当該他の配達エリアを抽出するものである。
【００２０】
本願の請求項１４記載の発明は、本願の請求項１〜１３の何れかに記載の警備支援システム、警備支援装置、プログラム、又は、プログラムを記録した記録媒体に係る定期配達は、新聞配達者が新聞を配達先に定期的に配達する新聞配達からなるものである。
【００２１】
本願の請求項１５記載の発明は、配達者が配達物を定期的に配達先に配達する定期配達における配達先を含む配達エリアの一部又は全部を予め撮影し配達エリアの撮影画像の基準として用いる基準画像情報を、配達エリア特定情報と関連付けて記録した配達エリアデータベースを備えたコンピュータを準備し、コンピュータに、配達者が配達物を配達する配達時の配達エリアの一部又は全部を撮影することによってカメラ装置の生成した配達時画像情報を、配達エリアを特定する配達エリア特定情報と共にそのカメラ装置から受信し、受信した配達エリア特定情報と配達エリアデータベースとに基いて配達時画像情報に対応する配達エリアの基準画像情報を配達エリアデータベースから抽出するとともに、その抽出した基準画像情報と受信した配達時画像情報とが相違するか否かを検出することにより、配達エリアにおける異常の有無を監視する処理を行わせることを特徴とする警備支援方法である。
【発明の効果】
【００２２】
本願の請求項１記載の発明は、配達者が配達物を配達先に定期的に配達する定期配達に際しカメラ装置によって配達者が配達物を配達する配達時における配達先を含む配達エリアの一部又は全部を撮影することにより配達エリアの配達時の撮影画像に関する配達時画像情報を生成し、その生成した配達時画像情報を配達エリア特定情報と共にサーバコンピュータに送信するようにし、そして、受信したサーバコンピュータは、受信した配達時画像情報と配達エリア特定情報とに基いて配達エリアにおける異常の有無を監視するものとする。
【００２３】
こうすることにより、配達者が配達物を配達先に配達する際に撮影することにより配達時画像情報を得ることができ、この配達時画像情報に基いて配達先を含む配達エリアで異常が発生していないか等の監視をできる。これにより、従来のように警備のために巡回しなくて済み、警備のための巡回と同様の効果を得ることができる。従って、配達エリアを確実に警備できるとともに、警備のためのコストを低く抑えることができる。
【００２４】
又、カメラ装置が生成した配達時画像情報に基いて配達エリアの監視を行うため、配達者は危険にさらされるようなことを防止できる。例えば配達に際し配達エリアで配達者の身に危険が生じる恐れがある場合には、配達者はその現場にいてその状況を逐次送信しなくても、その現場にカメラ装置だけを置いておけば現場の状況を配達時画像情報として送信できる。従って、配達者は配達に際し危険にさらされるようなことがなく、しかも、本来の目的である配達作業を遂行でき、支障をきたすようなことを防止できる。よって、本システムを実行し易いものにできる。
【００２５】
一方、配達先にとっては、配達物を届けてもらうという本来の目的に加えて巡回して警備してもらうことができるという利点を有する。従って、配達物の配達を行うものは、配達物の配達の契約の促進を図ることができ、顧客の獲得を図ることも可能となる。
【００２６】
本願の請求項２〜５及び１５記載の警備支援システム、警備支援装置、プログラム、プログラムを記録した記録媒体、警備支援方法の発明は、基準画像情報を、配達エリア特定情報と関連付けて記録した配達エリアデータベースを備え、配達エリア特定情報と配達エリアデータベースとに基いて配達時画像情報に対応する配達エリアの基準画像情報を配達エリアデータベースから抽出するとともに、その抽出した基準画像情報と受信した配達時画像情報とが相違するか否かを検出することにより、配達エリアにおける異常の有無を監視するものとする。
【００２７】
こうすることにより、配達エリアで異常が発生している場合は、それを迅速且つ確実に検出できる。例えば配達エリアで不審なものを発見した場合には、警備支援装置として機能するコンピュータによって迅速且つ確実に検出でき、不審なものによる被害を未然に防止できる。
【００２８】
本願の請求項６記載の警備支援システム、警備支援装置、プログラム、プログラムを記録した記録媒体の発明は、配達時画像情報と基準画像情報とが相違すると検出した場合に、相違している旨を、配達エリアの警備を担当する予め定めた担当警備員に、担当警備員が用い警備支援装置と通信可能な端末装置を介して知らせるものとする。
【００２９】
例えば警備会社が契約によって建物等を警備する警備エリアは比較的広範囲に点在するため、警備会社の警備担当者が異常の知らせを受けてから現場にかけつけるまでに相当の時間を要する場合もあり、その結果、現場に到着した時には既に盗難等が行なわれた後であるという可能性が高くなり、盗難等を未然に防止できない。しかし、本実施形態のように、例えば新聞を販売等する一つの販売店が管轄する配達エリアの警備を担当する担当警備員を設置させておけば、一つの販売店が管轄する配達エリアは比較的狭く、担当警備員が異常の発生の知らせを受けてから現場に行くまでに長時間を要するというようなことを確実に防止でき、盗難等を確実に未然防止できる。
【００３０】
本願の請求項７記載の警備支援システム、警備支援装置、プログラム、プログラムを記録した記録媒体の発明は、一のカメラ装置から受信した配達時画像情報と基準画像情報とが相違すると検出した場合、その検出した相違部分の画像情報を不審物画像情報として認識し、他のカメラ装置から受信した配達時画像情報にその不審物画像情報に対応する情報が含まれているか否かを検出するものとする。
【００３１】
こうすることにより、例えば配達時画像情報に不審な人或いは自動車等の画像情報がある場合にはその画像情報を不審物画像情報として検出できるとともに、その不審物が他の配達エリアに移動した場合でも、容易に検出でき、不審物を追跡し、十分に監視できる。
【００３２】
本願の請求項８記載の警備支援システム、警備支援装置、プログラム、プログラムを記録した記録媒体の発明は、不審物画像情報を、その不審物画像情報を検出した配達エリアの配達エリア特定情報と関連付けて記録した不審物情報データベースを備え、不審物画像情報を検出した場合に、その不審物画像情報に対応する情報が、不審物情報データベースに他の配達エリア特定情報と関連付けて記録されているか否かを検出し、記録されていることを検出した場合に、不審物情報データベースから当該他の配達エリア特定情報を抽出するものとする。
【００３３】
こうすることにより、不審物が、いつ、どの配達エリアにいたものか等を知ることができる。従って、例えばその抽出した配達エリアで盗難等の事件が発生している場合は、その不審物の監視を強化でき、その不審物による盗難等を未然防止できる。
【００３４】
本願の請求項９〜１２記載の警備支援システム、警備支援装置、プログラム、プログラムを記録した記録媒体の発明は、一のカメラ装置から受信した一の配達エリアの配達時画像情報と不審物指摘情報とに基いて検出した画像情報を不審物画像情報として認識し、その不審物画像情報に基いて他のカメラ装置から受信した他の配達エリアの配達時画像情報にその不審物画像情報に対応する情報が含まれているか否かを検出するものとする。
【００３５】
こうすることにより、一の配達エリアで検出した不審物画像情報によって、その不審物が他の配達エリアに移動した場合でも、容易に検出でき、不審物の位置を常時把握でき、不審物を追跡できる。
【００３６】
本願の請求項１３記載の警備支援システム、警備支援装置、プログラム、プログラムを記録した記録媒体の発明は、不審物画像情報を、その不審物画像情報を検出した配達エリアの配達エリア特定情報と関連付けて記録した不審物情報データベースを備え、一の配達エリアの配達時画像情報から検出した不審物画像情報が、不審物情報データベースに他の配達エリアと関連付けて記録されているか否かを検出し、記録されていることを検出した場合に、不審物情報データベースから当該他の配達エリアを抽出するものとする。
【００３７】
こうすることにより、不審物が、いつ、どの配達エリアにいたものか等を知ることができる。従って、例えば不審物情報データベースから抽出した配達エリアで盗難等の事件が発生している場合は、その不審物の監視を強化でき、盗難等を未然防止できる。
【００３８】
本願の請求項１４記載の警備支援システム、警備支援装置、プログラム、プログラムを記録した記録媒体の発明の定期配達は、新聞配達者が新聞を配達先に定期的に配達する新聞配達からなるものとする。
【００３９】
こうすることにより、新聞の配達に際し、配達エリアを、カメラ装置を介して巡回して監視することができる。従って、別途に巡回して警備する警備員を不要にでき、低コストで警備できる。又、新聞の配達は、通常朝と夕方との日に二回、ほぼ同じ時間帯に配達するため、警備を確実なものにできる。
【００４０】
又、例えば多くの部数を発行する新聞の配達エリアは、日本全国に区画形成されている。従って、日本全国における警備を、新聞の配達エリア毎に行うことができると共に、不審物が移動した場合でも、容易に追跡して監視できる。
【００４１】
また、新聞の配達に際し警備支援装置として機能するコンピュータが新聞配達者の用いるカメラ装置を介して配達エリアの監視を行うため、例えばコンピュータを、新聞配達者を管轄する新聞販売店或いは、新聞販売店の販売する新聞を発行する新聞社が管理するようにすれば、配達エリアで発生する異常、すなわち種々の事件を即座に検出できる。従って、新聞配達者が新聞記者としての役割を果たすと共に、新聞社は配達エリアで発生する種々の事件を収集でき、配達エリアの警備を行うと共に、配達エリアで発生する種々の事件を新聞の記事にできる。
【発明を実施するための最良の形態】
【００４２】
図１は、本願発明の第１実施形態の警備支援装置を有する警備支援システムの一実施の形態のブロック図である。
【００４３】
第１実施形態の警備支援システムは、警備支援装置としてのサーバコンピュータ１と、サーバコンピュータ１と通信可能な複数のカメラ装置２・・・２と、サーバコンピュータ１と通信可能な複数の端末装置３・・・３とを備えている。
【００４４】
各カメラ装置２・・・２は、配達者が配達物を定期的に配達先に配達する定期配達に際して用いられ、配達時における配達先を含む配達エリアの一部又は全部を撮影する。この実施形態では、配達物としての新聞を配達する新聞の配達者が新聞を配達する際に用いられる。
【００４５】
この実施形態の各カメラ装置２・・・２は、図６に示すように例えばＣＣＤカメラを有するカメラ本体部２１と、操作部２２とを備えている。カメラ本体部２１は、図１に示すように画像取込処理手段２１ａと、送信手段２１ｂとを備えている。
【００４６】
画像取込処理手段２１ａは、レンズを介して新聞配達時における配達エリアを撮影した撮影画像を取り込んで電気信号に変換処理し、配達時画像情報を生成する。
【００４７】
送信手段２１ｂは、電気信号に変換処理して得た上記配達時画像情報等をサーバコンピュータ１に送信する。
【００４８】
このように構成されたカメラ本体２１は、図６に示すように新聞配達者が新聞を配達先に配達するに際して、新聞配達者がかぶるヘルメット６に取り付けられて使用され、新聞配達者が新聞配達を開始してから配達を終了するまでの配達作業中に、カメラ本体２１のレンズを介してカメラ本体２１内に入ってくる配達エリアにおける配達先の玄関或いは配達先間の道路等の撮影画像を連続的に取り込むことによって配達時画像情報を生成し、配達時画像情報を動画情報にしてサーバコンピュータ１に無線で送信できるようにしている。
【００４９】
操作部２２は、カメラ本体２１と接続線２３を介して通信可能に接続された入力装置２２ａを備えており、新聞配達者は、この入力装置２２ａを用いて、データ等の入力を行うことができ、入力されたデータは、接続線２３及びカメラ本体部２１の送信手段２１ｂを介して配達時画像情報と共に又は単独でサーバコンピュータ１に送信可能とされている。又、この実施形態では、操作部２２に、作動スイッチ２２ｂが設けられており、この作動スイッチ２２ｂが押圧操作されることにより、カメラ本体部２１が作動を開始し配達時画像情報をサーバコンピュータ１へ送信を開始し始めるとともに、カメラ本体部２１に予め記録されたカメラＩＤをサーバコンピュータ１に自動的に送信するように設定されている。
【００５０】
端末装置３・・・３は、予め配達エリアの警備を担当するように決められた後述の担当警備員が用いるもので、通信網としてのインターネット４を介してサーバコンピュータ１と通信可能とされている。この実施形態では、端末装置３・・・３として携帯電話が用いられている。各端末装置３・・・３は、図１に示すように表示装置３２と、入力装置３１とを備えている。
【００５１】
尚、端末装置３・・・３は、携帯電話から構成されるものに限らず、サーバコンピュータ１と通信網を介して通信可能なものであれば良く、例えば携帯情報端末やパーソナルコンピュータ（パソコン）を使用することもでき、適宜変更できる。
【００５２】
サーバコンピュータ１は、この実施形態では、新聞社に設置されて管理されるようになっている。このサーバコンピュータ１は、図１に示すように配達エリアデータベース１１ａと、不審物情報データベース１１ｂと、受信手段１２と、送信手段２０と、監視手段１０とを備えている。
【００５３】
配達エリアデータベース１１ａは、この実施形態では、図７に示すように、上記新聞社により発行される新聞を販売し配達者により配達する各販売店を識別する販売店ＩＤ、各販売店に属する各配達者を識別する配達者ＩＤ、各配達者の氏名、各配達者が配達に際して用いるカメラ装置を識別するカメラＩＤ、各配達者が配達する配達エリアを識別し特定する配達エリア特定情報としての配達エリアＩＤ、配達エリアに属する配達先を識別する配達先ＩＤ、その氏名又は名称及び住所等を記録している。
【００５４】
また、配達エリアデータベース１１ａは、図８に示すように担当警備員を識別する担当警備員ＩＤ及びその担当警備員が用いる端末装置３のメールアドレスを、販売店ＩＤと関連づけて記録している。
【００５５】
この担当警備員は、サーバコンピュータ１から配達エリアで異常が発生した旨の情報を送信を、端末装置３を介して受けると、必要に応じて該当する配達エリアに行き、異常を確認するとともに、実際に異常が発生している場合に対処する者として、本システムにおいて設定された者である。この実施形態では、一つの販売店について一名の担当警備員を設定するようにしているが、この形態のものに限らず、例えば一つの販売店について複数の担当警備員を設定し、或いは、複数の販売店について一名の担当警備員を設定する等、適宜変更して実施できる。
【００５６】
更に、配達エリアデータベース１１ａは、図９に示すように配達先を含む配達エリアの撮影画像の基準にする基準画像情報及びその撮影場所を、カメラＩＤ及び配達エリアＩＤと関連付けて記録している。この実施形態では、配達エリアにおける各配達先の玄関をほぼ正面から撮影した静止画像情報（図1１Ａ参照）及び配達先間の道路の状況、例えば道路に自動車等が停車していない状態が通常である場合にその状態を撮影した静止画像情報（図示せず）とから構成されている。
【００５７】
不審物情報データベース１１ｂは、図１０に示すように後述する相違検出手段１４によって検出した相違部分の画像情報を、不審物認識手段１６によって認識した不審物画像情報を、その不審物画像情報を検出した配達エリアＩＤ及びその検出した日時の各情報と関連付けて記録している。
【００５８】
受信手段１２は、例えば配達時画像情報、或いは、カメラＩＤ等のデータをカメラ装置２から受信する。
【００５９】
送信手段２０は、インターネット４を介して端末装置３・・・３に情報を送信する。
【００６０】
監視手段１０は、防犯、防火等のために配達エリアにおける異常の有無を監視するためのものである。具体的には、この第１実施形態の監視手段１０は、図１に示すように抽出手段１３と、相違検出手段１４と、相違部分明記画像生成手段１５と、不審物認識手段１６と、不審物情報記録手段１７と、不審物追跡手段１８とを備えている。
【００６１】
抽出手段１３は、受信手段１２によってカメラ装置２から配達時画像情報と共に、カメラＩＤを受信すると、そのカメラＩＤを、配達エリアを特定する配達エリア特定情報として受信し、そのカメラＩＤに基いて、配達エリアデータベース１１ａからそのカメラＩＤに対応する配達エリアＩＤの基準画像情報を抽出する。
【００６２】
相違検出手段１４は、抽出手段１３によって抽出した各基準画像情報と、各基準画像情報に対応する配達時画像情報とのパターンマッチングを行い、両者の画像情報に相違する部分があるか否かを検出する。
【００６３】
例えば基準画像情報が図１１Ａに示すように配達先の左戸５１が閉まった状態の基準画像２００の情報であるのに対し、配達時画像情報が図１１Ｂに示すように左戸５１が少し開いている状態の配達時画像の情報である場合、基準画像情報と配達時画像情報との差分を行い、左戸５１が少し開いている状態の画像情報を相違部分の画像情報として検出することにより行う。
【００６４】
また、例えば自動車に関する自動車画像情報を有しない基準画像情報に対し、配達時画像情報が自動車画像情報を有するものである場合、基準画像情報と配達時画像情報との差分を行い、自動車画像情報、例えばナンバープレートの文字や数字のデータ、自動車全体の外形形状のデータ、車体の色のデータ等の自動車を特定する情報を相違部分の画像情報として検出することにより行う。
【００６５】
相違部分明記画像生成手段１５は、上記相違検出手段１４によって配達時画像情報と基準画像情報とに相違があることを検出した場合に、その相違する部分に印を明記した相違部分明記画像を生成する。例えば上述のように基準画像２００が図１１Ａに示すように配達先の左戸５１が閉まったものであるのに対し、配達時画像情報に基く配達時画像が図１１Ｂに示すように左戸５１が少し開いている場合、図１１Ｂに示すように、その相違する配達時画像情報における相違部分に丸印４を明記するようにして相違部分明記画像２０１を生成する。
【００６６】
不審物認識手段１６は、この実施形態では、上記相違検出手段１４によって配達時画像情報と基準画像情報とに相違があることを検出した場合に、配達時画像情報における相違部分の画像情報を不審物画像情報と認識する。
【００６７】
例えば上述のように、相違検出手段１４によってナンバープレートの文字や数字のデータ、自動車全体の外形形状のデータ、車体の色のデータ等の自動車画像情報を、相違部分の画像情報として検出した場合、自動車画像情報を不審物画像情報と認識する。
【００６８】
不審物情報記録手段１７は、相違検出手段１４によって検出し不審物認識手段１６によって認識した不審物情報を、検出した配達エリアＩＤ及びその検出した日時の各情報と関連付けて不審物情報データベース１１ｂに記録する。
【００６９】
不審物追跡手段１８は、不審物認識手段１６によって認識した不審物情報に対応する情報が、不審物情報データベース１１ｂに、他の配達エリアＩＤと関連付けて記録されているか否かを検出する。そして、記録されていることを検出した場合は、その不審物特定情報と関連付けて記録された配達エリアＩＤを抽出する。
【００７０】
図２は、図１に示す警備支援システムに用いられるサーバコンピュータ１、カメラ装置２・・・２、端末装置３・・・３のハードウェア構成の一例を示す図面である。
【００７１】
サーバコンピュータ１は、記録装置であり本システムのプログラムを記録した記録媒体であるハードディスク５０、ハードディスク５０に記録されたプログラムを実行し制御する装置であるＣＰＵ５１、表示装置であるＣＲＴ５２、入力装置であるキーボード５４及びマウス５５、各カメラ装置２と通信するためのカメラ装置用通信インターフェース５３、各端末装置３と通信するための通信インターフェース５６を備えている。
【００７２】
サーバコンピュータ１のハードディスク５０には、上記プログラムの他、データベース１１ａ、１１ｂを構成するデータが記録されている。すなわち、ハードディスク５０が図１の配達エリアデータベース１１ａ、不審物情報データベース１１ｂに対応する。
【００７３】
また、サーバコンピュータ１のＣＰＵ５１が、図１の受信手段１２、送信手段２０、監視手段１０に対応する。
【００７４】
図２の各カメラ装置２は、入力装置であるボタン操作部２４、記録媒体であるメモリ２５、メモリ２５に記録されたプログラム等を実行するＣＰＵ２６、サーバコンピュータ１と通信するためのサーバコンピュータ用通信インターフェース２７を備えている。
【００７５】
図２の各カメラ装置２のボタン操作部２４が図１の入力装置２２ａに対応する。
【００７６】
図２の端末装置３は、表示装置である液晶表示部６１、入力装置であるボタン操作部６２、プログラム等を記憶したメモリ６６、メモリ６６に記憶されたプログラム等を実行するＣＰＵ６４，インターネット１０を介してサーバコンピュータ１と通信するための通信インタフェース６５を備えている。
【００７７】
図２の端末装置の液晶表示部６１が図１の表示装置３２に対応する。図２の端末装置２のボタン操作部６２が、図１の入力装置３１に対応する。
【００７８】
次に、本実施形態の動作について説明する。図３〜図８は、新聞配達者が新聞の配達エリアに新聞を配達するに際しカメラ装置２を用いて新聞の配達エリアを警備する場合の処理の流れを示すフローチャートである。
【００７９】
新聞配達者によりカメラ装置２の作動スイッチ２２ｂ（図6に図示）が押圧操作されることによって、カメラ装置２は、配達時の配達エリアの撮影画像を取り込んで電気信号に変換し、配達時画像情報を生成する（図３、ステップＳ１）。このステップＳ１が、図1の画像取込処理手段２１ａに対応する。
【００８０】
そして、カメラ装置２は、その配達時画像情報を、カメラＩＤと共にサーバコンピュータ１に送信する（図３、ステップＳ２）。
【００８１】
サーバコンピュータ１は、受信したカメラＩＤを配達エリア特定情報として受信し、カメラＩＤを介して配達エリアＩＤに対応する基準画像情報を抽出する（図３、ステップＳ３）。例えばカメラＩＤ００００１を受信した場合は、まず配達エリアＩＤ００００の基準画像情報ＩＤ００１を抽出する。このステップＳ３が、図1の抽出手段１３に対応する。尚、カメラ装置２から配達エリア特定情報としてカメラＩＤを送信する形態のものに限らず、例えば配達エリアＩＤを、自動送信し、或いは配達者が入力して送信するようにしても良い。
【００８２】
そして、サーバコンピュータ１は、カメラ装置２から送信されてきた配達時画像情報と、抽出した基準画像情報とのパターンマッチングを行い、両者に相違があるか否かを検出する（図４、ステップＳ４）。
【００８３】
より具体的には、例えば図７、図９に示すように配達エリアＩＤ０００１に対応するＩＤ００１の基準画像情報が配達先ＩＤ０００００１の左戸５１及び右戸５２を有する玄関をほぼ正面から撮影した図１１Ａに示すような基準画像２００の情報である場合、その玄関における予め設定した部分、例えば右戸５２の撮影画像情報を含んだ配達時画像情報が送信されてくると、その右戸５２の撮影画像情報を含んだ配達時画像情報とＩＤ００１の基準画像情報とのパターンマッチングを行い、相違があるか否かを検出する。このステップＳ４が、図1の相違検出手段１４に対応する。
【００８４】
そして、相違があることと検出した場合は、その相違した部分に印を付すことによって相違部分を明記した相違部分明記画像２０１を生成する（図４、ステップＳ５）。具体的には、例えば配達時画像情報が図１１Ｂに示すように配達先ＩＤ０００００１の玄関の左戸５１が少し開いている画像情報であるのに対し、基準画像情報が図１１Ａに示すように左戸５１が完全に閉まっている画像情報の場合には、配達時画像情報の相違部分に該当する左戸５１の開口部分に丸印４を付して相違部分明記画像２０１を生成する。上記の相違部分に丸印４を付すステップＳ５が図1の相違部分明記画像生成手段１５に対応する。
【００８５】
又、サーバコンピュータ１は、相違があることを検出した場合、該当する配達エリアに対応して記録された担当警備員、その担当警備員の用いる端末装置３、パターンマッチングを行った基準画像情報に対応する撮影場所の各情報を配達エリアデータベース１１ａから抽出し、担当警備員の用いる端末装置３に、相違部分明記画像２０１の情報と共に、抽出した撮影場所を、その配達エリアにおける場所を特定する場所特定情報として送信する（図４、ステップＳ６）。この担当警備員の端末装置３に相違部分明記画像２０１の情報、及び場所特定情報を送信するステップＳ６が、特許請求の範囲の「警備支援装置は、配達時画像情報と基準画像情報とが相違することを検出した場合に、相違している旨を、予め配達エリアの警備を担当するように定めた担当警備員に、警備支援装置と通信可能な端末装置であって当該担当警備員の用いるものを介して知らせる」に対応する。
【００８６】
尚、相違部分明記画像２０１の情報、及び場所特定情報を送信する担当警備員の用いる端末装置３に送信することにより知らせる形態のものに限らず、例えば相違する場合に、担当警備員の用いる端末装置３に、場所特定情報だけを送信することにより知らせるようにしても良く、適宜変更し得る。
【００８７】
端末装置３を介して相違部分明記画像２０１の情報を場所特定情報と共に受信した担当警備員は、相違部分明記画像２０１を閲覧した結果、確認した方が良いと判断した場合は、該当する場所に確認に行く。その際、例えば警備会社が契約によって建物等を警備するエリアは比較的広範囲に点在するため、警備会社の警備担当者が異常の知らせを受けてから現場にかけつけるまでに相当の時間を要する場合があり、その結果、現場に到着した時には既に盗難等が行なわれた後であるという可能性が高くなり、盗難等を未然に防止できない。しかし、本実施形態の担当警備員は、新聞を販売等する一つの販売店が管轄する比較的狭い配達エリアの警備を担当するため、相違部分明記画像２０１の情報の受信による知らせを受けてからその場所に行くまでに長時間を要するというようなことを防止でき、盗難等を確実に防止できる。
【００８８】
又、サーバコンピュータ１は、相違があることを検出した場合は、その相違部分の画像情報を不審物画像情報と認識する（図４、ステップＳ７）。例えば基準画像情報に含まれていない自動車画像情報が配達時画像情報に含まれている場合、その自動車画像情報、例えばナンバープレートの文字や数字のデータ、自動車全体の外形形状のデータ、車体の色のデータ等の情報を不審物画像情報と認識する。このステップＳ７が、図1の不審物認識手段１６に対応する。
【００８９】
また、サーバコンピュータ１は、認識した不審物画像情報を、その不審物を検出した配達エリアのＩＤ及び検出した日時と関連付けて記録する（図４、ステップＳ８）。
【００９０】
更に、サーバコンピュータ１は、認識した不審物画像情報に対応する情報が、その不審物を検出した配達エリア以外の他の配達エリアＩＤと関連付けて不審物情報データベース１１ｂに記録されているかを検出する（図５、ステップＳ９）。
【００９１】
そして、サーバコンピュータ１は、記録されていることを検出した場合は、その不審物画像情報に対応する配達エリアＩＤ及び検出日時の各情報を不審物情報データベース１１ｂから抽出する（図５、ステップＳ１０）。これにより、その不審物が、何時、どの配達エリアに現れたもので、その配達エリアから移動してきたものである等の不審物のデータを得ることができるとともに、不審物の追跡を行うことができる。これらのステップＳ９及びステップＳ１０が図1の不審物追跡手段１８に対応する。
【００９２】
又、サーバコンピュータ１は、抽出した配達エリアＩＤ及び検出日時の各情報を，上述の担当警備員の端末装置３に送信する（図５、ステップＳ１１）。
【００９３】
端末装置３を介して受信した担当警備員は、受信した情報を、不審物が真に怪しいものか否か等の判断材料にでき、不審物が真に怪しい可能性の高い場合は、即座に現場に急行して不審物による被害を未然防止できる。
【００９４】
その後、サーバコンピュータ１は、配達エリアデータベース１１ａに記録された全部の基準画像情報について上記ステップＳ３〜ステップＳ１１を行ったか否かを判断する（図５、ステップＳ１２）。そして、行っていないことを判断した場合は、次の基準画像情報、例えば配達エリアＩＤ０００１の基準画像情報ＩＤ００２を配達エリアデータベース１１ａから抽出し（図５、ステップＳ１３）、上記ステップＳ３に戻る。
【００９５】
尚、上記第１実施形態では、カメラ装置２から連続的に配達時画像情報を送信し、受信したサーバコンピュータ１が配達エリアデータベース１１ａに記録した基準画像情報に対応する配達時画像情報を検出し配達時画像情報と基準画像情報とのパターンマッチングを行うようにしているが、この形態のものに限らず、適宜変更し得る。例えばカメラ装置２から連続的に配達時画像情報を送信するとともに、サーバコンピュータ１の配達エリアデータベース１１ａに記録した基準画像情報に対応する場所の配達時画像情報を撮影して送信するに際し配達者が例えば基準画像情報ＩＤまたは撮影場所ＩＤを入力装置２２ａを用いて入力して送信し、これを受信したサーバコンピュータ１が基準画像情報ＩＤまたは撮影場所ＩＤに対応する基準画像情報を配達エリアデータベース１１ａから抽出するとともに、基準画像情報ＩＤと同時期に送られてきた配達時画像情報とのパターンマッチングを行うようにしてもよい。
【００９６】
又、カメラ装置２から配達者の操作によって、サーバコンピュータ１の配達エリアデータベース１１ａに記録した基準画像情報に対応する配達時画像情報の静止画像を、基準画像情報ＩＤとともに、又は単独でサーバコンピュータ１に送信するようにし、受信したサーバコンピュータ１が配達時画像情報と基準画像情報とのパターンマッチングを行うようにしてもよい。
【００９７】
また、上記第１実施形態では、サーバコンピュータ１が相違検出手段１４によって相違があることを検出した場合、或いは、不審物特定情報が不審物情報データベース１１ｂに記録されていることを検出した場合、サーバコンピュータ１が担当警備員に端末装置３を介して知らせるようにしているが、この形態のものに限らず、例えばサーバコンピュータ１が、サーバコンピュータ１の表示装置に相違部分明記画像２０１を表示等することによってサーバコンピュータ１を管理する管理者に知らせ、サーバコンピュータ１から知らせを受けた管理者が担当警備員に端末装置３を介して知らせるようにしても良い。
【００９８】
次に、本願発明の第２実施形態について説明する。
【００９９】
第２実施形態の警備支援システムは、図１２に示すように先の第１実施形態のものと同様に、警備支援装置としてのサーバコンピータ１と、サーバコンピュータ１と通信可能な複数のカメラ装置２・・・２と、サーバコンピュータ１と通信可能な複数の端末装置３・・・３とを備えている。
【０１００】
第２実施形態の各カメラ装置２・・・２は、カメラ本体部２１及び操作部２２に加え、更に音声入力装置であるマイクを備えている。その他は、第１実施形態のものと同構成を採っている。また、各端末装置３・・・３は、先の第１実施形態のものと同構成を採っている。
【０１０１】
サーバコンピュータ１は、配達エリアデータベース１１１ａと、不審物情報データベース１１１ｂと、受信手段１１２と、送信手段１２０と、監視手段１１０とを備えている。
【０１０２】
この第２実施形態の配達エリアデータベース１１１ａは、先の第１実施形態の配達エリアデータベース１１ａのように基準画像情報を記録していない。その他は、先の第１実施形態の配達エリアデータベース１１ａと同構成を採っている。又、不審物情報データベース１１１ｂ、及び送信手段１２０は、先の第１実施形態のものと同構成を採っている。
【０１０３】
第２実施形態の受信手段１１２は、例えばカメラ装置２から、基準画像情報及び配達エリア特定情報に加え、配達者によって音声入力された後述の不審物指摘情報を受信する。
【０１０４】
第２実施形態の監視手段１１０は、不審物認識手段１１６と、不審物情報記録手段１１７と、不審物追跡手段１１８とを備えている。不審物情報記録手段１１７と不審物追跡手段１１８とは、先の第１実施形態のものと同構成を採っている。
【０１０５】
不審物認識手段１１６は、この第２実施形態では、カメラ装置２から送信されてくる配達時画像情報と不審物指摘情報とに基いて検出した画像情報を不審物画像情報と認識する。例えば配達者が配達エリアにおける道路に停車している自動車が不審な自動車であると判断し、カメラ装置２を介して「配達時画像情報の中央に現れている自動車は不審な自動車である」旨の不審物指摘情報を入力し、配達時画像情報と共に不審物指摘情報がカメラ装置２からサーバコンピュータ１に送信されてくると、その配達時画像情報と不審物指摘情報とに基いて配達時画像情報に含まれた指摘のあった自動車画像情報を検出し、その検出した自動車画像情報を不審物画像情報として認識する。
【０１０６】
次に、第２実施形態の警備支援システムの動作について説明する。
【０１０７】
まず、先の第１実施形態と同様に、新聞配達者によりカメラ装置２の作動スイッチ２１ａが押圧操作されることによって、カメラ装置２は、配達時の配達エリアの撮影画像を取り込んで電気信号に変換することにより、配達時画像情報を生成する（図１３、ステップＳ１０１）。
【０１０８】
又、カメラ装置２は、その配達時画像情報を、カメラＩＤと共にサーバコンピュータ１に送信するとともに、新聞配達者によりカメラ装置２の入力装置２２ａを介して入力された不審物指摘情報をサーバコンピュータ１に送信する（図１３、ステップＳ１０２）。例えば道路に停車している自動車が不審な自動車であると新聞配達者が判断し、マイクを介して「配達時画像のほぼ中央の下側に現れた自動車」のように不審物指摘情報を配達時画像情報と関連付けて音声入力し、サーバコンピュータ１に送信する。
【０１０９】
サーバコンピュータ１は、受信したカメラＩＤに基いて、カメラＩＤに対応する配達エリアを配達エリアデータベース１１１ａから抽出するとともに、配達時画像情報と不審物指摘情報とに基いて、配達時画像情報に含まれる自動車の画像情報を検出する。例えば自動車の画像情報として、ナンバープレートの文字や数字のデータ、自動車全体の外形形状のデータ、車体の色のデータ等の情報を検出する。そして、この検出した自動車の画像情報を不審物画像情報として認識する（図１３、ステップＳ１０３）。このステップＳ１０３が、図１２に示す第２実施形態の不審物認識手段１１６に対応する。
【０１１０】
以下、先の第１実施形態と同じ動作を行う。詳しくは、その後、サーバコンピュータ１は、認識した不審物画像情報を不審物情報データベース１１１ｂに、検出した配達エリア及び検出した日時と関連付けて記録する（図１４、ステップＳ１０４）。
【０１１１】
更に、サーバコンピュータ１は、認識した不審物画像情報に対応する情報が、その不審物を検出した配達エリア以外の他の配達エリアと関連付けて不審物情報データベース１１ｂに記録されているかを検出する（図１４、ステップＳ１０５）。そして、記録されていることを検出した場合は、その不審物特定情報に対応する配達エリアＩＤ及び検出日時を抽出する（図１４、ステップＳ１０６）。
【０１１２】
又、サーバコンピュータ１は、先の第１実施形態の場合と同様に、抽出した配達エリア及び検出日時の各情報を、担当警備員の端末装置３に送信する（図１４、ステップＳ１０７）。
【０１１３】
尚、この第２実施形態では、カメラ装置２に音声入力した不審物指摘情報をサーバコンピュータ１に送信するようにしているが、この形態のものに限らず、例えば不審物指摘情報を図６に示すような入力装置に文字等を入力して送信するようにしても良い。
【０１１４】
また、第２実施形態では、配達時画像情報と不審物指摘情報とを受信したサーバコンピュータ１に、配達時画像情報と不審物指摘情報とに基いて指摘された画像情報を検出させ、その検出させた画像情報を不審物画像情報と認識させるようにしているが、例えばサーバコンピュータ１を管理する管理者がサーバコンピュータ１に受信した配達時画像情報と不審物指摘情報とに基いて指摘された画像情報を検出し、その検出した画像情報をサーバコンピュータ１に入力することによってサーバコンピュータ１に検出した画像情報を不審物画像情報と認識させるようにしても良い。以上が第２実施形態の説明である。
【０１１５】
尚、上記実施形態では、カメラ装置２を、カメラ本体部２１と、操作部２２とを備えたものから構成しているが、この形態のものに適宜変更できる。例えばカメラ本体部２１だけから構成したものであってもよい。又、カメラ本体部２１は、画像情報を送信できるものであればよく、種類等は特に限定されず、例えば赤外線カメラ、或いは、動画像又は静止画像を送信するもの等を使用できる。
【０１１６】
又、上記実施形態では、カメラ装置２を、新聞配達者が新聞を配達エリアの配達先に配達する際に用い新聞の配達エリアの警備の支援を行うようにしているが、この形態のものに限らず、配達者が配達物を配達先に定期的に配達する定期配達、例えば牛乳の配達、料理材料の配達等に際してカメラ装置２を用いそれらの配達エリアの警備の支援を行うようにしてもよい。ただし、発行部数の大きな新聞の配達の場合、各販売店が管轄する配達エリアは、予め各販売店ごとにほぼ同程度の範囲で日本全国に連続して区画されている。従って、例えば担当の警備員を設定した場合、担当警備員が異常の発生した現場に急行できる時間を短時間に設定でき、又、不審物を、容易に追跡できる点で好ましい。
【０１１７】
また、上記実施形態では、サーバコンピュータ１を、新聞社が直接又は間接に管理し、その新聞社の発行する新聞を販売する複数の販売店の配達エリアの警備の支援を行うよにしているが、この形態のものに限らず、例えば各販売店が管理し、各販売店の配達エリアの警備の支援を行うよにしても良く、適宜変更できる。
【０１１８】
又、この実施形態においては、ハードディスクにインストールされた本システムのプログラムを実行するようにしているが、プログラムの保持形態はこれらに限定されるものではない。たとえば、本システムのプログラムを、ＣＤ−ＲＯＭ、フレキシブルディスク、磁気テープ等に記録するようにしてもよい。
【０１１９】
さらに、有線や無線の通信回線を介して本システムのプログラムを配信するようにしてもよい。また、本システムのプログラムをメインのサーバコンピュータにインストールしておき、たとえばインターネットなどの通信回線を介してローカルのサーバコンピュータに本システムのプログラムを実行させるようにしてもよい。
【０１２０】
また、プログラムやデータの記録態様は特に限定されるものではない。直接実行できる形で記録媒体に記録されている場合の他、たとえば、解凍して使用するように圧縮された形で記録媒体に記録されていてもよい。
【０１２１】
又、上述の実施形態においては、コンピュータを用いて図１の各機能を実現する場合を例に説明したが、図１の機能の一部をハードウェアロジックを用いて構成するようにしてもよい。
【図面の簡単な説明】
【０１２２】
【図１】この発明の第１実施形態の警備支援装置を有する警備支援システムの構成を説明するためのブロック図である。
【図２】図１に示す第１実施形態の警備支援システムに用いられるサーバコンピュータ、カメラ装置、端末装置のハードウェア構成の一例を示すブロック図である。
【図３】第１実施形態における新聞配達者が新聞の配達エリアに新聞を配達するに際しカメラ装置を用いて新聞の配達エリアを警備する場合の処理の流れを示すフローチャートの一部である。
【図４】第１実施形態における新聞配達者が新聞の配達エリアに新聞を配達するに際しカメラ装置を用いて新聞の配達エリアを警備する場合の処理の流れを示す第１実施形態のフローチャートの他の一部である。
【図５】第１実施形態における新聞配達者が新聞の配達エリアに新聞を配達するに際しカメラ装置を用いて新聞の配達エリアを警備する場合の処理の流れを示すフローチャートの更に他の一部である。
【図６】カメラ装置の一例である。
【図７】配達エリアデータベースのデータ構造を模式的に表わした図面の一部である。
【図８】配達エリアデータベースのデータ構造を模式的に表わした図面の他の一部である。
【図９】配達エリアデータベースのデータ構造を模式的に表わした図面の更に他の一部である。
【図１０】不審物情報データベースのデータ構造を模式的に表わした図面のである。
【図１１】図１１Ａは、基準画像の一例であり、図１１Ｂは、配達時画像の一例である。
【図１２】本発明の第２実施形態の警備支援装置を有する警備支援システムの構成を説明するためのブロック図である。
【図１３】第２実施形態における新聞配達者が新聞の配達エリアに新聞を配達する際してカメラ装置を用いて新聞の配達エリアを警備する場合の処理の流れを示すフローチャートの一部である。
【図１４】第２実施形態における新聞配達者が新聞の配達エリアに新聞を配達する際してカメラ装置を用いて新聞の配達エリアを警備する場合の処理の流れを示すフローチャートの他の一部である。
【符号の説明】
【０１２３】
１    サーバコンピュータ
２    カメラ装置
３    端末装置
１０、１１０    監視手段
１１ａ、１１１ａ    配達エリアデータベース
１１ｂ、１１１ｂ    不審物情報データベース
１３    抽出手段
１４    相違検出手段
１５    相違部分明記画像生成手段
１６、１１６    不審物認識手段
１７、１１７    不審物情報記録手段
１８、１１８    不審物追跡手段
特許出願人  ファインフーズ株式会社
出願人代理人  弁理士  田川  幸一
【図１】
2005228238.tif 000003
【図２】
2005228238.tif 000004
【図３】
2005228238.tif 000005
【図４】
2005228238.tif 000006
【図５】
2005228238.tif 000007
【図６】
2005228238.tif 000008
【図７】
2005228238.tif 000009
【図８】
2005228238.tif 000010
【図９】
2005228238.tif 000011
【図１０】
2005228238.tif 000012
【図１１】
2005228238.tif 000013
【図１２】
2005228238.tif 000014
【図１３】
2005228238.tif 000015
【図１４】
2005228238.tif 000016